(57)【要約】【課題】強制送風の必要がなく、かつ、香気をすばやく外部に送り出すことができる、ファンを有しないマイナスイオン芳香発生装置を提供する。【解決手段】ファンを有しないマイナスイオン芳香発生装置１は、ケーシング１１と、制御回路板１２と、精油箱１３と、加熱機構１４と、マイナスイオン発生モジュール１５と、を備える。制御回路板１２と、精油箱１３と、加熱機構１４と、マイナスイオン発生モジュール１５とは、ケーシング１１内部の収容空間に収容され、制御回路板１２は外部電源と電気的に接続されており、加熱機構１４と、マイナスイオン発生モジュール１５とに必要な電気を提供する。マイナスイオン発生モジュール１５によって形成するマイナスイオン気流は、加熱後に精油箱１３より発生する芳香粒子を外部へ送り出し、ファンを使用することなく、芳香粒子をすばやく周りの空間に充満させ、すがすがしい香りを維持し、マイナスイオンが人体の血液脳関門を通じて、健康に役立たせる。【選択図】図１
0003213827.tif 000002
【実用新案登録請求の範囲】
【請求項１】
ケーシングと、制御回路板と、精油箱と、加熱機構と、マイナスイオン発生モジュールと、を備える、ファンを有しないマイナスイオン芳香発生装置であって、
前記ケーシングは、第１ケーシング体と、第２ケーシング体とを嵌め合わせて収容空間を形成し、前記第１ケーシング体には複数の貫通孔が設けられてグリッド状開口部が形成され、前記第２ケーシング体の一側部には精油箱に対応して開口部が設けられており、
前記制御回路板は、前記収容空間に内設されており、かつ、外部電源と電気的に接続されており、
前記精油箱は、熱伝導材料によって形成されており、前記収容空間に内設されて精油が充填され、
前記加熱機構は、前記収容空間の内部に設けられ、前記制御回路板と電気的に接続され、前記加熱機構を前記精油箱の底部に設けられることで精油を加熱して芳香粒子を発生し、
前記マイナスイオン発生モジュールは、収容空間の内部に設けられ、前記制御回路板と電気的に接続され、前記マイナスイオン発生モジュールが前記グリッド状開口部の一側部に対応するように配置され、前記マイナスイオン発生モジュールを起動することによりマイナスイオン気流が発生し、芳香粒子を前記グリッド状開口部から外部へと送り出すことを特徴とする、ファンを有しないマイナスイオン芳香発生装置。
【請求項２】
前記精油箱の上向き開口部が防水の通気性フィルムによってシールされることを特徴とする、請求項１記載のファンを有しないマイナスイオン芳香発生装置。
【請求項３】
前記第１ケーシング体の前記複数の貫通孔の位置に対応して取り付けられる複数のマイナスイオン放出ピンをさらに有し、前記マイナスイオン放出ピンが前記マイナスイオン発生モジュールと電気的に接続されることを特徴とする、請求項２記載のファンを有しないマイナスイオン芳香発生装置。
【請求項４】
前記加熱機構は発熱プレートであり、前記発熱プレートには前記グリッド状矩形溝が設けられていることを特徴とする、請求項３記載のファンを有しないマイナスイオン芳香発生装置。
【請求項５】
前記制御回路板は、前記ケーシングの表面にスイッチと電気接続穴とが設けられており、前記制御回路板には、前記加熱機構および前記マイナスイオン発生モジュールの稼働状態を制御するためのタイマーが設けられており、タイムラグによって、香気を周りに拡散させることを特徴とする、請求項４記載のファンを有しないマイナスイオン芳香発生装置。
【考案の詳細な説明】
【技術分野】
【０００１】
本考案は芳香発生装置の分野に関し、特にファンを有しないマイナスイオン芳香発生装置に関する。マイナスイオン発生モジュール稼働のときに形成されるマイナスイオン気流を利用し、精油の加熱によって発生する芳香粒子を外部に送り出すことによって、芳香療法の効果が得られる。
【背景技術】
【０００２】
一般の芳香精油は、自然の花、葉っぱ、果物の皮または樹皮などから揮発性の植物オイルを抽出して獲得され、植物固有の香気を利用する芳香療法が行われる。芳香療法は香り療法とも言う。前述した芳香精油を媒質として、マッサージや、スパ、精油を加熱蒸発させる、などの方式により、呼吸器官または肌を経由して体内へと取り込み、精神とストレスを和らげて、体の健康を促進する自然療法である。さらに、よく見かける芳香装置は、部屋や、車、事務所などの密閉空間に置くことで空気の質を改善し、気持ちを奮い立たせる効果がある。
【考案の概要】
【考案が解決しようとする課題】
【０００３】
この種の芳香装置の多くは、自然揮発、加熱蒸発または高周波振動などの方式によって香気を発生させており、芳香精油自らの揮発効果が利用されている。しかし、揮発の速度が遅いため、短時間で空間に漂わせることはかなり難しく、空気を強制的に流動させるファンを用いて、揮発した香気をすばやく空間中に拡散させる。この種の設計は、燃焼加熱または高周波振動の芳香装置にも応用されている。しかし、ファンを稼働させるときに発生する騒音や、香気をスムーズに送り出すことができないことが大きな課題となっている。特に、揮発が不完全であったり、または加熱効果が良くなかったりすると、香気に含まれる分子の粒子が大きくなり、これが吹き出されると、濃度が高すぎるという問題により、かえって使用者に不快感を与えてしまうおそれがある。
【０００４】
そのために、考案人は強制送風の必要がなく、かつ、香気をすばやく外部に送り出すことができる、ファンを有しないマイナスイオン芳香発生装置を考案する。ファンを有しないマイナスイオン芳香発生装置は、マイナスイオン気流を発生させて気流を形成するとともに、加熱した芳香精油が芳香粒子を形成し、芳香粒子がマイナスイオン気流と共に吹き出すものであり、公知の芳香装置のような騒音問題はなく、使用上の実用性が大幅に向上される。
【課題を解決するための手段】
【０００５】
本考案は、合理的な構成で形成され、しかも使用に便利なファンを有しないマイナスイオン芳香発生装置を提供することを目的とする。マイナスイオン芳香発生装置は、ケーシング内部に精油箱と、加熱機構と、マイナスイオン発生モジュールとが設けられ、マイナスイオン発生モジュールの近傍に設けられたケーシング開口部に形成されたマイナスイオン気流を利用して、精油箱内部の精油を加熱して形成された芳香粒子を吹き出し、芳香の雰囲気を維持する。このほか、マイナスイオンが人体の血液脳関門を通じて、健康に役立たせる効果を有する。
【０００６】
前述目的を達成するため、本考案のファンを有しないマイナスイオン芳香発生装置は、ケーシングと、制御回路板と、精油箱と、加熱機構と、マイナスイオン発生モジュールと、を備える。ケーシングは、その内部に収容空間が設けられており、かつ、上部にグリッド状の開口部を有する。制御回路板は、収容空間に設けられており、外部電源と電気的に接続される。精油箱は、収容空間内に設けられており、精油が充填される。加熱機構は、精油箱の底部に取り付けるように収容空間に内設され、制御回路板と電気的に接続され、精油を加熱して、芳香粒子を発生させる。マイナスイオン発生モジュールは、収容空間の内部に設けられており、制御回路板と電気的に接続され、グリッド状の開口部の一側部に対応して設けられており、マイナスイオン発生モジュールが起動されると、マイナスイオン気流が発生し、芳香粒子をグリッド状の開口部より外部へと送り出す。
【０００７】
一実施例において、ケーシングは、第１ケーシング体と、第２ケーシング体とを嵌め合わせて構成され、第１ケーシング体に複数の貫通孔を設けることによってグリッド状の開口部を形成し、第２ケーシング体の一側部に精油箱に対応して開口部が設けられる。精油箱は熱伝導材料より形成され、精油箱の上向き開口部は、防水の通気性フィルムによってシールされている。さらに、本考案のファンを有しないマイナスイオン芳香発生装置は、第１ケーシング体の内面に取り付けてられており、複数の貫通孔の位置に対応した複数のマイナスイオン放出ピンをさらに有し、かつ、それらのマイナスイオン放出ピンがマイナスイオン発生モジュールと電気接続されている。特に説明したいことは、それらのマイナスイオン放出ピンは、２本、４本、６本など、対になった形式で実施される。そのうち、間隔を空けて４本配置することがもっとも良い配置方式である。加熱機構は発熱プレートであり、当該発熱機構は、精油箱に対応したグリッド状の矩形溝が設けられており、より大きな加熱面積を作り出すことで、精油の揮発を加速させる。
【０００８】
このほか、制御回路板はケーシングの表面にスイッチと電気接続孔が設けてられており、制御回路板は、加熱機構と、マイナスイオン発生モジュールの作動を制御するためのタイマーを有し、タイムラグにより香気を周りに漂わせる。
【図面の簡単な説明】
【０００９】
【図１】本考案の好ましい実施例による立体分解図である。
【図２】本考案の好ましい実施例による組み立て後の外観図である。
【図３】本考案の好ましい実施例による組み立て後の配置図である。
【図４】本考案の好ましい実施例の使用態様図である。
【考案を実施するための形態】
【００１０】
審査官の方々が本考案の内容をよりよく理解できるよう、以下に図面と合わせて説明する。ご参照ください。
【実施例】
【００１１】
図１、図２、図３、および図４の、本考案の好ましい実施例による立体分解図と、組み立て後の外観図と、配置図と、使用態様図とを参照する。図に示すとおり、本考案のファンを有しないマイナスイオン芳香発生装置１は、ケーシング１１と、制御回路板１２と、精油箱１３と、加熱機構１４と、マイナスイオン発生モジュール１５とを備える。
【００１２】
そのうち、ケーシング１１は、第１ケーシング体１１１と、第２ケーシング体１１２とを嵌め合わせて構成され、内部に収容空間１１３が形成されている。第１ケーシング体１１１の最上部には複数の貫通孔１１１１が設けられており、グリッド状の開口部１１１２が形成されている。第２ケーシング体１１２の一側部は、精油箱１３に対応した開口部１１２１が設けられている。
【００１３】
制御回路板１２は、収容空間１１３に内設されている。制御回路板１２は、ケーシング１１の表面にスイッチ１２１と、電気接続穴１２２とを設けられており、制御回路板１２はタイマー１２３を有し、電気接続穴１２２を介して、外部電源に接続される（図示しない）。スイッチ１２１は、電気の供給と断電を切り換えることによって、本考案を起動する主な手段となる。
【００１４】
精油箱１３は矩形の箱体であり、熱伝導材料によって形成されている、精油箱１３の最上側には精油２を充填するための上向き開口部１３１があり、使用するときに内部の精油２が溢れないように、防水の通気性フィルム１３２を用いてシールされる。精油箱１３は、開口部１１２１よりカートリッジ挿入するなどの方式により、収容空間１１３に内設される。
【００１５】
加熱機構１４は発熱プレートであり、発熱プレートは精油箱１３の底部に対応して、グリッド状の矩形溝１４１に設けられるように、収容空間１１３に内設される。加熱機構１４は、制御回路板１２と電気的に接続され、精油２を加熱して芳香粒子を発生させるため、精油箱１の底部に取り付けられる。
【００１６】
マイナスイオン発生モジュール１５は、収容空間１１３に内設されており、かつ、制御回路板１２と電気的に接続されている。マイナスイオン発生モジュール１５は複数のマイナスイオン放出ピン１５１をさらに有し、それらのマイナスイオン放出ピン１５１が対となって間隔を空けて配置され、グリッド状開口部１１１２にある貫通孔１１１１内に設けられる。その数量は例えば、２本、４本または６本とすることができる。考案人が実際にテストした結果、４本がベストである。マイナスイオン気流形成の原理は、マイナスイオン放出ピン１５１の付近に、局部の電場強度が気体の電離場を超えると、気体が電離と励起を発生し、比較的に安定したブラシ放電を発生する。陽イオンが負極に飛び出して、マイナスイオンに衝突すると、気流を形成し、比較的に安定した気流（これをマイナスイオン気流という。）が形成されて、芳香粒子を該グリッド状開口部１１１２より外部に拡散される。このほかに、前述のタイマー１２３が加熱機構１４と、マイナスイオン発生モジュール１５とに電気的に接続されており、それぞれ加熱機構１４と、マイナスイオン発生モジュール１５の稼働状態を制御して、タイムラグを形成することによって、加熱機構１４より精油２を十分に加熱したうえで、マイナスイオン気流によって、芳香粒子の香気を周りに拡散させることができる。
【００１７】
以上の通り、本考案のファンを有しないマイナスイオン芳香発生装置１は、公知技術の芳香精油箱に比べて、精油を加熱することで発生する芳香粒子の拡散にファンを用いる必要がなく、騒音発生の恐れがない。さらに、マイナスイオン気流によって送り出した精油の芳香粒子は、環境保護につながるとともに、拡散速度も速い。マイナスイオン発生モジュール１５によって形成されるマイナスイオンは、肺臓の改善効果を有し、新陳代謝を促進し、病気への抵抗力を強め、睡眠を改善し、ダスト除去により滅菌し、フレッシュエアを提供できるという長所を有する。
【符号の説明】
【００１８】
１        ファンを有しないマイナスイオン芳香発生装置
１１      ケーシング
１１１    第１ケーシング
１１１１  貫通孔
１１１２  グリッド状開口部
１１２    第２ケーシング
１１２１  開口部
１１３    収容空間
１２      電気制御回路板
１２１    スイッチ
１２２    電気接続穴
１２３    タイマー
１３      精油箱
１３１    上向き開口部
１３２    防水の通気性フィルム
１４      加熱機構
１４１    グリッド状矩形溝
１５      マイナスイオン発生モジュール
１５１    マイナスイオン放出ピン
【図１】
0003213827.tif 000003
【図２】
0003213827.tif 000004
【図３】
0003213827.tif 000005
【図４】
0003213827.tif 000006
【手続補正書】
【提出日】平成29年10月4日(2017.10.4)
【手続補正１】
【補正対象書類名】実用新案登録請求の範囲
【補正対象項目名】全文
【補正方法】変更
【補正の内容】
【実用新案登録請求の範囲】
【請求項１】
ケーシングと、制御回路板と、精油箱と、加熱機構と、マイナスイオン発生モジュールと、を備える、ファンを有しないマイナスイオン芳香発生装置であって、
前記ケーシングは、第１ケーシング体と、第２ケーシング体とを嵌め合わせて収容空間を形成し、前記第１ケーシング体には複数の貫通孔が設けられてグリッド状開口部が形成され、前記第２ケーシング体の一側部には精油箱に対応して開口部が設けられており、
前記制御回路板は、前記収容空間に内設されており、かつ、外部電源と電気的に接続されており、
前記精油箱は、熱伝導材料によって形成されており、前記収容空間に内設されて精油が充填され、
前記加熱機構は、前記収容空間の内部に設けられ、前記制御回路板と電気的に接続され、前記加熱機構を前記精油箱の底部に設けられることで精油を加熱して芳香粒子を発生し、
前記マイナスイオン発生モジュールは、収容空間の内部に設けられ、前記制御回路板と電気的に接続され、前記マイナスイオン発生モジュールが前記グリッド状開口部の一側部に対応するように配置され、前記マイナスイオン発生モジュールを起動することによりマイナスイオン気流が発生し、芳香粒子を前記グリッド状開口部から外部へと送り出すことを特徴とする、ファンを有しないマイナスイオン芳香発生装置。
【請求項２】
前記精油箱の上向き開口部が防水の通気性フィルムによってシールされることを特徴とする、請求項１記載のファンを有しないマイナスイオン芳香発生装置。
【請求項３】
前記第１ケーシング体の前記複数の貫通孔の位置に対応して取り付けられる複数のマイナスイオン放出ピンをさらに有し、前記マイナスイオン放出ピンが前記マイナスイオン発生モジュールと電気的に接続されることを特徴とする、請求項２記載のファンを有しないマイナスイオン芳香発生装置。
【請求項４】
前記加熱機構は発熱プレートであり、前記発熱プレートにはグリッド状矩形溝が設けられていることを特徴とする、請求項３記載のファンを有しないマイナスイオン芳香発生装置。
【請求項５】
前記制御回路板は、前記ケーシングの表面にスイッチと電気接続穴とが設けられており、前記制御回路板には、前記加熱機構および前記マイナスイオン発生モジュールの稼働状態を制御するためのタイマーが設けられており、タイムラグによって、香気を周りに拡散させることを特徴とする、請求項４記載のファンを有しないマイナスイオン芳香発生装置。